(57)【特許請求の範囲】
【請求項１】
紙幣の挿入部、紙幣の真偽を判定する識別部および真券であると判定された紙幣を搬送する搬送部を備えた本体部と、搬送された紙幣をプレス機構によって押し下げて所定位置に格納する金庫部とが着脱可能に設けられた紙幣識別機において、
上記プレス機構を本体部側に配置される駆動部と金庫部側に配置される押圧部とで構成し、
前記駆動部はモータとこのモータの駆動によって回動する作動アームとを備える一方、前記押圧部は金庫部の上面と紙幣の押圧板との間に架け渡されたリンクアームを備え、
前記プレス機構の作動時にはモータの駆動によって作動アームの先端が金庫部の上面に設けられたスリットから金庫内に侵入し、前記リンクアーム及び押圧板を押し下げることを特徴とする紙幣識別機。
【請求項２】
前記リンクアームは中央部が枢着されてＸ字状に構成され、リンクアームの上端が金庫部の上面に、リンクアームの下端が押圧板にそれぞれスライド可能に取り付けられている請求項１記載の紙幣識別機。
【請求項３】
前記リンクアームには捩りバネが巻装され、常時は縮めた状態に保たれる一方、前記作動アームによる押し下げによって下方に伸びて押圧板を押し下げる請求項１記載の紙幣識別機。
【発明の詳細な説明】
【０００１】
【発明の属する技術分野】
本発明は、テレホンカードやメトロカードなどのカード自動販売機に用いられる紙幣識別機であって、特に本体部と金庫部とが着脱可能に設けられたタイプの紙幣識別機に関する。
【０００２】
【従来の技術】
一般に、この種の紙幣識別機は、挿入部から差し込まれた紙幣を自動的に引き込み、紙幣の幅、長さ、厚さ、図形等を光透過センサと磁気ヘッドを併用した識別機能により紙幣の真偽を判定し、偽券と判定した場合には直ちに挿入部まで返却する一方、真券と判定した場合には紙幣を金庫部まで搬送し、金庫部内において紙幣をプレス機構により押し下げて格納する構成となっている。
【０００３】
【発明が解決しようとする課題】
ところで、上記従来の紙幣識別機にあって、図４及び図５に示したように、挿入部１、紙幣Ｃの真偽を判定する識別部２及び真券であると判定された紙幣Ｃを所定位置まで搬送する搬送部３とからなる本体部Ａと、コイルバネ４と支持板５とを内蔵し搬送済みの紙幣Ｃを多数格納する金庫部Ｂとが着脱可能に設けられているタイプのものがあった。この種の紙幣識別機の多くは、紙幣Ｃのプレス機構６が本体部Ａ側に配置されており、紙幣Ｃを押し下げる押圧板７が本体部Ａの下部に配置されていて、金庫部Ｂの上面に開設された開口部８から押圧板７を金庫部Ｂ内に出没させ紙幣Ｃを支持板５の上に順次積み重ねていく構造である。
【０００４】
しかしながら、上述した分離型の紙幣識別機にあっては、金庫部Ｂの上面には押圧板７が出没する大きな開口部８が設けられているために、本体部Ａから金庫部Ｂを外して紙幣を回収する際の安全性に問題が生ずる。そのため、従来の紙幣識別機にあっては、金庫部Ｂを外した時に開口部８を塞ぐシャッタ装置（図示せず）等が必要となり、紙幣識別機そのものが大型化してしまうといった問題があった。
【０００５】
そこで、本発明は紙幣識別機を大型化することなく、簡易な手段で紙幣回収時の安全性を確保することを目的としている。
【０００６】
【課題を解決するための手段】
本発明に係る紙幣識別機は、紙幣の挿入部、紙幣の真偽を判定する識別部および真券であると判定された紙幣を搬送する搬送部を備えた本体部と、搬送された紙幣をプレス機構によって押し下げて所定位置に格納する金庫部とが着脱可能に設けられた紙幣識別機において、上記プレス機構を本体部側に配置される駆動部と金庫部側に配置される押圧部とで構成し、前記駆動部はモータとこのモータの駆動によって回動する作動アームとを備える一方、前記押圧部は金庫部の上面と紙幣の押圧板との間に架け渡されたリンクアームを備え、前記プレス機構の作動時にはモータの駆動によって作動アームの先端が金庫部の上面に設けられたスリットから金庫内に侵入し、前記リンクアーム及び押圧板を押し下げることを特徴とする。
【０００７】
また、本発明に係る紙幣識別機の一実施例では、前記リンクアームは中央部が枢着されてＸ字状に構成され、リンクアームの上端が金庫部の上面に、リンクアームの下端が押圧板にそれぞれスライド可能に取り付けられている。
さらに、本発明に係る紙幣識別機の一実施例では、前記リンクアームには捩りバネが巻装され、常時は縮めた状態に保たれる一方、前記作動アームによる押し下げによって下方に伸びて押圧板を押し下げることを特徴とする。
【０００８】
【発明の実施の形態】
以下添付図面に基づいて本発明に係る紙幣識別機の実施例を詳細に説明する。図１乃至図３は本発明に係る紙幣識別機の一実施例を示したものであり、紙幣識別機は、互いに着脱可能となる本体部Ａと金庫部Ｂとで構成されている。本体部Ａには紙幣Ｃを挿入するための挿入部１１と、差し込まれた紙幣Ｃを自動的に引き込んで紙幣Ｃの真偽を判定する識別部１２と、真券であると判定した紙幣Ｃを搬送する搬送部１３と、プレス機構の駆動部１４とを備える。
【０００９】
上記識別部１２には光透過センサ１５と磁気ヘッド１６とが配設されており、光透過センサ１５によって紙幣Ｃの挿入確認と紙幣Ｃの幅、長さ、厚さなどが識別され、また磁気ヘッド１６によって紙幣Ｃに刷り込まれた磁気データが識別されて紙幣Ｃの真偽が判定される。識別部１２の後端からは搬送部１３が下方に延びており、その出口端に最終段の搬送従動ローラ１７が配設されている。
【００１０】
上記プレス機構の駆動部１４は、図１に示したように、モータ１８と、後端部が軸着された作動アーム１９とを備えており、モータ１８の回転によって作動アーム１９が上下方向に回動し、先端の押片１９ａが本体部Ａの下面から突出する。
【００１１】
また、上記本体部Ａには挿入部１１側の下部両隅に係合ピン２０を有する係合片２１が配設され、搬送部１３側の下部両隅に係合溝２２を有する係合片２３が配設されている。なお、図中の符号２４は紙幣Ｃを搬送するための搬送モータ、符号２５は本体部Ａと金庫部Ｂとをロックする錠である。
【００１２】
一方、金庫部Ｂは、図３に示したような直方体形状の箱体であり、上部にプレス機構の押圧部３０が内蔵されている。この押圧部３０は、図１及び図２に示したように、中央部３３が枢着されたＸ字状のリンクアーム３１ａ，３１ｂと、このリンクアーム３１ａ，３１ｂの下端に取り付けられた押圧板３２とで構成されている。これらリンクアーム３１ａ，３１ｂにおいて、一方のリンクアーム３１ａは、上端が金庫部Ｂの上面３４に固定されると共に、下端が前記押圧板３２に固定されたブラケット３５の横長溝３６にスライド可能に取り付けられている。また、他方のリンクアーム３１ｂは、上端が金庫部Ｂの上面３４に固定されたブラケット３７の横長溝３８にスライド可能に取り付けられると共に、下端が押圧板３２に固定されている。
【００１３】
更に、上記一方のリンクアーム３１ａには捩りバネ３９が巻装され、図１に示したようにリンクアーム３１ａ，３１ｂを縮めた状態に保つ。リンクアーム３１ａを押し下げると、図２に示したように、リンクアーム３１ａ，３１ｂが下方に伸びた状態となる。金庫部Ｂの上面３４には、前述した作動アーム１９の押片１９ａが出没するスリット４０が設けられている。また上面３４の一側部には段差が設けられており、この段差部分に紙幣Ｃのガイド口４１が開設されると共に、このガイド口４１の後部には前記搬送従動ローラ１７と対になる搬送駆動ローラ４２が設けられている。また、上記押圧板３２の下部には前記ガイド口４１と搬送駆動ローラ４２とによって紙幣Ｃを導き入れる収納スペース４９が設けられている。
【００１４】
金庫部Ｂの内部には紙幣Ｃを順次格納していくための支持板４３と、この支持板４３を弾性的に支えるコイルバネ４４とが配設される。また、金庫部Ｂの一側面には格納された紙幣Ｃを取り出すための開閉蓋４５が設けられ、これと対向する他側面には金庫部Ｂの把手４６が設けられている。なお、金庫部Ｂの開閉蓋４５側の上部両隅には係合溝４７を有する係合片４８が設けられ、また把手４６側には係止ピン５０が設けられている。
【００１５】
図２は、上述した紙幣識別機の本体部Ａと金庫部Ｂとを組付けた時の状態を示す。組付ける際には、上述した四隅の上部係合片２１と下部係合片４８、及び上部係合片２３と係止ピン５０とをそれぞれ係合させることで連結し、組付後に錠２５をして両者をロックする。この時、本体部Ａの搬送従動ローラ１７と金庫部Ｂの搬送駆動ローラ４２とが圧接される。
【００１６】
この状態で挿入部２に紙幣Ｃを差し込むと識別部１２へ自動的に送り込まれ、光透過センサ１５と磁気ヘッド１６とによって紙幣の真偽が判定される。紙幣Ｃが真券であると判定されると引き続いて搬送部１３へ送り込まれ、上記最終段の搬送駆動ローラ４２によってガイド口４１から収納スペース４９内に搬送される。次いでプレス機構のモータ１８が駆動して作動アーム１９を上下方向に回動する。作動アーム１９は、金庫部Ｂの上面３４に開設されたスリット４０から金庫部Ｂ内に侵入してリンクアーム３１ａ，３１ｂを押し下げる。これによってリンクアーム３１ａ，３１ｂが下方に伸び、押圧板３２を押し下げる。押圧板３２の下面で紙幣Ｃを一緒に押し下げ支持板４３の上に載置する。
【００１７】
作動アーム１９の押圧作用が解除されると、捩りバネ３９の弾性復帰によってリンクアーム３１ａ，３１ｂは元の縮小状態に戻る。プレス機構のこのような動作の繰り返しで金庫部Ｂの支持板４３の上に多数の紙幣を順次積み重ねて格納することができる。
【００１８】
本体部Ａから金庫部Ｂを外す場合には、錠２５を開錠すれば簡単に外すことができるが、この場合金庫部Ｂには上面３４に開設されたスリット４０と紙幣Ｃのガイド口４１が開口しているだけであり、またいずれの開口も狭くて小さなものなので、金庫部Ｂに格納してある紙幣Ｃの安全性が確保されることになる。
【００１９】
【発明の効果】
以上説明したように、本発明に係る紙幣識別機によれば、金庫部に開設される開口部分が小さくて済むことから、金庫部を本体部から外した時に開口部をシャッタ装置などで閉じる必要がなくなった。それ故、従来のようなシャッタ装置を別途設ける必要がない分、紙幣識別機を小型化できる他、構造も簡易なものとなる。また、紙幣識別機としての安全性も極めて高いものとなった。
【００２０】
更に、本発明に係る紙幣識別機によれば、搬送部の最終段の搬送駆動ローラを金庫部側に配設したので、本体部から搬送されてきた紙幣を金庫部の入口から遠く離れたスペースに収納することができ、安全性がより一層保たれることになった。
【図面の簡単な説明】
【図１】本発明に係る紙幣識別機の本体部と金庫部とを分離した側面図である。
【図２】本発明に係る紙幣識別機の本体部と金庫部とを結合した側面図である。
【図３】金庫部の外観を示す斜視図である。
【図４】従来における紙幣識別機の一例を示す側面図である。
【図５】従来の金庫部の外観を示す斜視図である。
【符号の説明】
１１  挿入部
１２  識別部
１３  搬送部
１４  駆動部
３０  押圧部
４２  搬送駆動ローラ
【図１】
0003884794.tif 000002
【図２】
0003884794.tif 000003
【図３】
0003884794.tif 000004
【図４】
0003884794.tif 000005
【図５】
0003884794.tif 000006